(57)【要約】【課題】  顔領域に注目して画像の再生操作を容易に行うことができる画像処理装置及び画像処理プログラムを提供する。【解決手段】  記録メディア２６から読み出された画像は、再生処理部２８によって再生用の画像に変換されて表示装置２０に出力される。顔検出部３０は、顔認識技術によってこの画像に写っている人物の顔領域や両目の位置等の検出を行う。また、顔検出部３０は、顔認識技術によって顔領域の傾き角度を算出する。トリミング処理部３２は、上記において検出された顔領域等の画像の一部領域を切り出すトリミング処理を行う。リサイズ・回転処理部３４は、トリミング処理部３２によってトリミングされた画像の一部領域を拡大・縮小して表示装置２０に出力する。また、リサイズ・回転処理部３４は、算出された顔領域の傾き角度に基づいて顔領域の回転処理を行う。なお、顔領域の位置や、その傾き角度、横向き角度等の顔情報は、上記画像と関連付けられて記憶される。【選択図】      図１
2006293782.tif 000002
【特許請求の範囲】
【請求項１】
画像を記憶する画像記憶手段と、
前記画像を再生表示する表示画面を有する画像表示手段と、
前記画像を解析して、前記画像に写っている人物の顔領域を検出する顔領域検出手段と、
前記画像から顔領域が検出された場合に、前記検出された顔領域を前記画像表示手段に表示させる表示制御手段と、
を備えることを特徴とする画像処理装置。
【請求項２】
前記表示制御手段は、前記検出された顔領域を前記表示画面の中央に表示させることを特徴とする請求項１記載の画像処理装置。
【請求項３】
前記表示制御手段は、前記検出された顔領域を拡大して表示させることを特徴とする請求項１又は２記載の画像処理装置。
【請求項４】
前記顔領域を拡大する際のズーム倍率を設定するズーム倍率設定手段を更に備えることを特徴とする請求項３記載の画像処理装置。
【請求項５】
前記表示制御手段は、前記画像から顔領域が複数検出された場合に、前記検出された顔領域を順番に再生表示させることを特徴とする請求項１から４のいずれか１項記載の画像処理装置。
【請求項６】
前記検出された顔領域の前記画像の天地方向に対する傾き角度を検出する顔傾き角度検出手段を更に備え、
前記表示制御手段は、前記顔領域の傾き角度に基づいて前記顔領域を回転させて表示させることを特徴とする請求項１から５のいずれか１項記載の画像処理装置。
【請求項７】
前記画像記憶手段は、前記検出された顔領域に関する情報を前記画像と関連付けて記憶することを特徴とする請求項１から６のいずれか１項記載の画像処理装置。
【請求項８】
前記顔領域に関する情報は、前記顔領域の位置、及び前記傾き角度の情報を含むことを特徴とする請求項７記載の画像処理装置。
【請求項９】
画像を記憶する画像記憶機能と、
前記画像を解析して、前記画像に写っている人物の顔領域を検出する顔領域検出機能と、
前記画像から顔領域が検出された場合に、前記検出された顔領域を表示させる機能と、
をコンピュータに実現させることを特徴とする画像処理プログラム。
【発明の詳細な説明】
【技術分野】
【０００１】
本発明は画像処理装置及び画像処理プログラムに係り、特にデジタル画像の再生表示を行う画像処理装置及び画像処理プログラムに関する。
【背景技術】
【０００２】
従来、画像に写っている人物の顔領域を検出する技術が開発されている。例えば、特許文献１には、映像信号中から、肌色領域または人の顔の領域を検出し、その検出領域のみ補正を行う映像信号処理装置について開示されている。また、特許文献２には、画像データに、人の顔の一部等の特徴部分があった場合は、それらを加工せず、或いはそれらは微少加工にとどめ、その周辺、その他の部分を違和感なく所望の描画パターンで編集した画像を提供する画像処理方法について開示されている。
【特許文献１】特開平１１−１４６４０５号公報
【特許文献２】特開２００４−２８２６６４号公報
【発明の開示】
【発明が解決しようとする課題】
【０００３】
しかしながら、従来、顔領域を複数含む画像において各顔領域に注目して再生表示等の操作を行う場合には、ユーザが操作部材等を手動で操作する必要があるため、操作がわずらわしいという問題があった。
【０００４】
本発明はこのような事情に鑑みてなされたもので、顔領域に注目して画像の再生操作を容易に行うことができる画像処理装置及び画像処理プログラムを提供することを目的とする。
【課題を解決するための手段】
【０００５】
上記目的を達成するために請求項１に係る画像処理装置は、画像を記憶する画像記憶手段と、前記画像を再生表示する表示画面を有する画像表示手段と、前記画像を解析して、前記画像に写っている人物の顔領域を検出する顔領域検出手段と、前記画像から顔領域が検出された場合に、前記検出された顔領域を前記画像表示手段に表示させる表示制御手段とを備えることを特徴とする。
【０００６】
請求項１に係る画像処理装置によれば、画像に写っている人物の顔領域に注目して画像の再生操作を容易に行うことができる。
【０００７】
請求項２に係る画像処理装置は、請求項１において、前記表示制御手段は、前記検出された顔領域を前記表示画面の中央に表示させることを特徴とする。請求項２は、請求項１において顔領域の表示位置を表示画面の中央に限定したものである。
【０００８】
請求項３に係る画像処理装置は、請求項１又は２において、前記表示制御手段は、前記検出された顔領域を拡大して表示させることを特徴とする。
【０００９】
請求項３に係る画像処理装置によれば、上記の顔領域を表示画面に拡大表示できるため、顔領域に注目した再生表示を行うことができる。
【００１０】
請求項４に係る画像処理装置は、請求項３において、前記顔領域を拡大する際のズーム倍率を設定するズーム倍率設定手段を更に備えることを特徴とする。
【００１１】
請求項４に係る画像処理装置によれば、ユーザが所望のズーム倍率で顔領域の表示を行うことができる。
【００１２】
請求項５に係る画像処理装置は、請求項１から４において、前記表示制御手段は、前記画像から顔領域が複数検出された場合に、前記検出された顔領域を順番に再生表示させることを特徴とする。
【００１３】
請求項５に係る画像処理装置によれば、検出された顔領域を自動的に所定の順番で表示させることができる。
【００１４】
請求項６に係る画像処理装置は、請求項１から５において、前記検出された顔領域の前記画像の天地方向に対する傾き角度を検出する顔傾き角度検出手段を更に備え、前記表示制御手段は、前記顔領域の傾き角度に基づいて前記顔領域を回転させて表示させることを特徴とする。
【００１５】
請求項６に係る画像処理装置によれば、顔領域をその傾き角度分回転させて表示させることにより、ユーザにとってより見やすい再生表示を実現できる。
【００１６】
請求項７に係る画像処理装置は、請求項１から６において、前記画像記憶手段は、前記検出された顔領域に関する情報を前記画像と関連付けて記憶することを特徴とする。
【００１７】
請求項７に係る画像処理装置によれば、入力時にあらかじめ記憶された顔領域に関する情報（例えば、顔領域の位置や、傾き角度）を参照することにより、画像を再生表示する際の処理付加を低減できる。
【００１８】
請求項８に係る画像処理装置は、請求項７において、前記顔領域に関する情報は、前記顔領域の位置、及び前記傾き角度の情報を含むことを特徴とする。請求項８は、請求項７の顔領域に関する情報を限定したものである。
【００１９】
請求項９に係る画像処理プログラムは、画像を記憶する画像記憶機能と、前記画像を解析して、前記画像に写っている人物の顔領域を検出する顔領域検出機能と、前記画像から顔領域が検出された場合に、前記検出された顔領域を表示させる機能とをコンピュータに実現させることを特徴とする。
【００２０】
請求項９に係る画像処理プログラムを含むソフトウェアやファームウェアをパーソナルコンピュータ（ＰＣ）やビデオ再生装置（ビデオデッキ、テレビ）やデジタルカメラ、携帯情報端末（ＰＤＡ）、携帯電話等の画像再生機能を有する装置に適用することにより、本発明の画像処理装置を実現することができる。
【発明の効果】
【００２１】
本発明によれば、画像に写っている人物の顔領域に注目して、ユーザにとって見やすい画像の再生操作を容易に行うことができる。
【発明を実施するための最良の形態】
【００２２】
以下、添付図面に従って本発明に係る画像処理装置及び画像処理プログラムの好ましい実施の形態について説明する。
【００２３】
図１は、本発明の一実施形態に係る画像処理装置の主要構成を示すブロック図である。なお、以下の説明では、本発明の画像処理装置１０をパーソナルコンピュータ（ＰＣ）に適用した例について説明するが、本発明の画像処理装置１０はＰＣのほか、例えば、ビデオ再生装置（ビデオデッキ、テレビ）やデジタルカメラ、携帯情報端末（ＰＤＡ）、携帯電話等の画像再生機能を有する装置一般に適用することができる。
【００２４】
同図においてＣＰＵ（Central Processing Unit）１２は、バス１４を介して画像処理装置１０内の各ブロックに接続されており、入力装置１６等からの操作入力に基づいて各ブロックを統括制御する統括制御部である。入力装置１６は、キーボードやマウス、その他の操作部材を含んでおり、これらの操作部材からの操作入力に応じてＣＰＵ１２に信号を出力する。タイマー１８は時間を計時する。
【００２５】
表示装置２０は、画像や、各種のデータ、操作メニュー等を表示するためのディスプレイであり、例えば、ＣＲＴ（Cathode Ray Tube）モニタやＬＣＤ（Liquid Crystal Display）モニタ、有機ＥＬ（electro-luminescence）である。
【００２６】
メモリ２２は、ＣＰＵ１２が処理するプログラム及び制御に必要な各種データ等を格納するＲＯＭ（Read Only Memory）や、ＣＰＵ１２が各種の演算処理等を行う際の作業用領域となるＳＤＲＡＭ（Synchronous Dynamic Random Access Memory）、表示装置２０に表示される内容を記憶する記憶領域となるＶＲＡＭ（Video Random Access Memory）等を備える。
【００２７】
メディア制御部２４は、ＣＰＵ１２によって制御され、記録メディア２６へのデータの書き込み、及び記録メディア２６からのデータの読み出しを行う。記録メディア２６としては、半導体メモリのほか、磁気ディスク、光ディスク、光磁気ディスク等、種々の媒体を用いることができる。
【００２８】
記録メディア２６から読み出された画像は、再生処理部２８によって再生用の画像に変換されて表示装置２０に出力される。顔検出部３０は、顔認識技術によってこの画像に写っている人物の顔領域の検出を行う。ここで、顔領域を検出する方法は公知技術なので、ここではその詳細な検出方法については省略する。なお、顔領域を検出する方法の例としては、原画像から肌色に指定した色と近い色を持つ画素を取り出し、取り出した領域を顔領域として検出する方法がある。この処理は、例えば、肌色を他の色と区別するための色空間上で、あらかじめサンプリングした肌色の情報から色空間上の肌色の範囲を定め、各画素の色が定めた範囲に入っているか否かを判定することにより行われる。また、顔パーツである目の抽出は、例えば、検出した顔領域内から顔領域よりも輝度値の低い領域を検出して抽出する。また、口の抽出は、例えば、抽出した両目の下側の範囲内で顔領域よりも輝度値の低い領域を検出して抽出する。また、鼻の抽出は、目と口の間で鼻の概略領域を特定し、この領域に対して横エッジを強調する処理を行う。そして、得られた画像に対して輝度値を横方向に射影する処理を行い、最も小さい輝度値を持つ位置を鼻の位置と決定する。
【００２９】
また、顔検出部３０は、顔認識技術によって顔領域の傾き角度、及び横向き角度を算出する。ここで、顔領域の傾き角度とは、画像の天地方向に対する顔の傾きを表すパラメータであり、例えば、上記において検出された両目を結ぶ線分の天地方向に対する傾きに基づいて算出される。また、横向き角度とは、撮影時における撮像装置に対する人物の顔の向き（あるいは、撮像装置の光軸方向と顔の正面方向のなす角度）を表すパラメータであり、上記において検出された両目及び鼻の位置に基づいて算出される。例えば、右目と鼻の距離が左目と鼻の距離よりも短い場合には、撮影時に人物が右斜め方向に向いていたことが検出される。
【００３０】
トリミング処理部３２は、上記において検出された顔領域等の画像の一部領域を切り出すトリミング処理を行う。そして、このトリミングされた画像は、表示装置２０に出力されて表示される。リサイズ・回転処理部３４は、トリミング処理部３２によってトリミングされた画像の一部領域を拡大・縮小して表示装置２０に出力する。また、リサイズ・回転処理部３４は、上記において算出された顔領域の傾き角度に基づいて顔領域の回転処理を行う。
【００３１】
なお、上記のようにして算出された顔領域や、その傾き角度、横向き角度等の顔情報は、上記画像と関連付けられて記憶される。図２は、顔情報の例を示す図である。同図に示す顔情報は、画像から検出された各顔領域について生成され、例えば、画像データファイルのヘッダやＥＸＩＦ（Exchangeable Image File Format）タグ等の領域に書き込まれる。なお、この顔情報は、画像データファイルと関連付けられた別のファイル等に保存されるようにしてもよい。
【００３２】
同図において顔領域は矩形領域であり、左上と右下の座標により記述されているが、顔領域の記述方法はこれに限定されるものではない。例えば、顔領域を円形又は楕円形とし、その位置は中心座標と半径、又は長軸、短軸の長さ等により記述されるようにしてもよい。また、顔領域を多角形として、その位置は頂点の座標により記述されるようにしてもよい。
【００３３】
また、顔の確からしさ度は、上記顔検出部３０により検出された領域が顔領域であるかどうかを示すパラメータであり、例えば、肌色の度合等により算出される。顔検出部３０は、画像中から検出された肌色領域ごとに、この顔の確からしさ度を算出して、この顔の確からしさ度が所定値以上の肌色領域を顔領域と判断する。
【００３４】
本実施形態の画像処理装置１０は、トリミングされた顔領域の画像を拡大又は縮小して再生表示するズームモード、及びトリミングされた顔領域の画像が複数ある場合に、この顔領域の画像を自動的に切り替えながら表示するオートプレイモードを有している。以下、各動作モードにおける再生表示の例について、図３以降を参照して説明する。
【００３５】
図３は、ズームモード時における画像の再生表示の例を示す図である。同図における矩形の枠４０は、表示装置２０の表示画面を示している。まず、図３（ａ）に示すような画像が入力されると、図３（ｂ）に示すように顔領域Ａ１が検出される。上述のように、この顔領域Ａ１は矩形であり、この矩形領域の左上と右下の座標が画像と関連付けられて保存される。次に、図３（ｃ）に示すように、この顔領域Ａ１は、トリミング処理部３２によってトリミングされて、表示装置２０の表示画面４０の中央に表示される。そして、図３（ｄ）に示すように、この顔領域Ａ１は、リサイズ・回転処理部３４によって拡大されて表示される。
【００３６】
図４は、ズームモード時における処理の流れを示すフローチャートである。まず、画像が入力され（ステップＳ１０）、ズームモードが設定されると（ステップＳ１２のＹｅｓ）、ズーム倍率を設定するかどうかを選択する画面が表示装置２０の表示画面４０に表示される（ステップＳ１４）。ここで、ズーム倍率を設定することが選択されると（ステップＳ１４のＹｅｓ）、ズーム倍率の設定を受け付ける画面が表示され（ステップＳ１６）、入力装置１６を介してズーム倍率が入力、設定されると、次いでステップＳ１８に進む。一方、ズーム倍率を設定しないことが選択されると（ステップＳ１４のＮｏ）、ズーム倍率がデフォルト値に設定されてステップＳ１８に進む。
【００３７】
次に、顔検出部３０によって顔領域Ａ１が検出され（ステップＳ１８）、図３（ｂ）に示す検出枠により顔領域Ａ１が指定される（ステップＳ２０）。そして、図３（ｃ）に示すように、指定された顔領域Ａ１がトリミングされて表示画面４０の中央に表示されるとともに、図３（ｄ）に示すように、上記ステップＳ１６において設定されたズーム倍率により拡大されて（ステップＳ２２）、表示画面４０に表示される（ステップＳ２４）。
【００３８】
なお、ステップＳ１８において顔領域が複数検出された場合には、ステップＳ２４では顔領域の拡大表示とともに、次の顔領域の処理を開始するかどうかを選択するメニュー（図示されず）が表示される（ステップＳ２６）。そして、次の顔領域の処理を開始することが選択されると（ステップＳ２６のＹｅｓ）、次の顔領域の処理が開始されて（ステップＳ２８）、ステップＳ１４に戻る。なお、ステップＳ２６において次の顔領域は、ユーザが入力装置１６等により手動で設定できるようにしてもよいし、表示画面４０における顔領域の位置や大きさ等に基づいて（例えば、左上から右下へ、又は大きい順）、自動的に設定されるようにしてもよい。
【００３９】
一方、次の顔領域の処理を開始しないことが選択されると（ステップＳ２６のＮｏ）、ステップＳ１２に戻る。このステップＳ１２においてズームモードの終了が選択されると上記の処理が終了する。
【００４０】
本実施形態によれば、ズームモード時において顔領域が表示画面４０の中央に拡大表示されるため、画像中の人物の顔に注目して再生操作を行うことが容易である。
【００４１】
次に、オートプレイモード時における画像の再生表示の例について、図５及び図６を参照して説明する。図５は、オートプレイモード時における画像の再生表示の例を示す図である。同図における矩形の枠４０は、上記の図３と同様、表示装置２０の表示画面を示している。まず、図５（ａ）に示すように、画像が入力されると、顔領域Ａ１〜Ａ３が検出される。次に、この顔領域Ａ１〜Ａ３は、トリミング処理部３２によってトリミングされ、リサイズ・回転処理部３４によって拡大される。そして、図５（ｂ）〜図５（ｄ）に示すように、この顔領域Ａ１〜Ａ３が順次拡大されて表示される。
【００４２】
図６は、オートプレイモード時における処理の流れを示すフローチャートである。まず、画像が入力され（ステップＳ４０）、オートプレイモードが設定されると（ステップＳ４２のＹｅｓ）、タイマー１８によって計時が開始される（ステップＳ４４）。
【００４３】
次に、顔検出部３０によって顔領域Ａ１〜Ａ３が検出され（ステップＳ４６）、図５（ａ）に示す検出枠により顔領域Ａ１〜Ａ３が指定される（ステップＳ４８）。この指定された顔領域Ａ１〜Ａ３はトリミング処理部３２によってトリミングされ、リサイズ・回転処理部３４によって所定のズーム倍率で拡大（ズーム処理）される（ステップＳ５０）。そして、図５（ｂ）に示すように、この顔領域Ａ１〜Ａ３のうちの１つが表示画面４０に表示される（ステップＳ５２）。
【００４４】
その次に、所定の時間（例えば、数秒程度）が経過して（ステップＳ５４のＹｅｓ）、オートプレイモードが継続されている場合に（ステップＳ５６のＹｅｓ）、次の顔領域の処理が開始される（ステップＳ５８）。そして、タイマー１８がリセットされて、計時が開始され（ステップＳ６０）、ステップＳ５０に戻る。
【００４５】
ここで、顔領域Ａ１〜Ａ３の表示される順番については、ユーザが入力装置１６等により手動で設定できるようにしてもよいし、表示画面４０における顔領域Ａ１〜Ａ３の位置や大きさ等に基づいて（例えば、左上から右下へ、又は大きい順）、自動的に設定されるようにしてもよい。
【００４６】
本実施形態によれば、オートプレイモード時において顔領域を自動的に表示画面４０に所定の順番で表示させることができる。
【００４７】
次に、画像の天地方向に対して人物（顔領域）が傾いている画像を再生表示する例について、図７及び図８を参照して説明する。図７は、顔領域が傾いている画像の再生表示の例を示す図である。同図における矩形の枠４０は、上記の図３等と同様、表示装置２０の表示画面を示している。まず、画像が入力されると、顔領域及び両目Ｅ１の位置が検出される。次に、この両目Ｅ１を結ぶ直線Ｌ１と画像の天地方向Ｌ２のなす角θが算出され、図７（ａ）に示すように、顔領域Ａ１’が検出される。この顔領域Ａ１’は矩形であり、顔の上下の辺Ｌ３が両目を結ぶ直線Ｌ１と略平行となっている。この顔領域Ａ１’の左上と右下の座標、及び回転角θは画像と関連付けられて保存される。次に、この顔領域Ａ１’は、トリミング処理部３２によってトリミングされ、リサイズ・回転処理部３４によって両目を通る直線Ｌ１と天地方向Ｌ２のなす角θが略直角になるように回転補正されて、図７（ｂ）に示すように、表示装置２０の表示画面４０の中央に表示される。そして、図７（ｃ）に示すように、この顔領域Ａ１’は、リサイズ・回転処理部３４によって拡大されて表示される。
【００４８】
図８は、顔領域が傾いている画像を再生表示する際の処理の流れを示すフローチャートである。まず、画像が入力され（ステップＳ７０）、ズームモードが設定されると（ステップＳ７２のＹｅｓ）、顔検出部３０によって顔領域Ａ１’が検出され（ステップＳ７４）、図７（ａ）に示す検出枠により顔領域Ａ１’が指定される（ステップＳ７６）。
【００４９】
次に、この顔領域Ａ１’が傾いているかどうか判断される（ステップＳ７８）。具体的には、この顔領域Ａ１’の両目Ｅ１を通る直線Ｌ１と天地方向Ｌ２のなす角θが算出されて、この角θが略直角（θ≒９０°）の場合に顔領域Ａ１’が傾いていないと判断され、角θが９０°よりも所定値以上（例えば、５°以上）大きいか、又は小さい場合に顔領域Ａ１’が傾いていると判断される。顔領域Ａ１’が傾いていると判断された場合には（ステップＳ７８のＹｅｓ）、この顔領域Ａ１’はトリミング処理部３２によってトリミングされ、リサイズ・回転処理部３４によって両目を通る直線Ｌ１と天地方向Ｌ２のなす角θが略直角になるように回転補正される（ステップＳ８０）。一方、顔領域Ａ１’が傾いていないと判断された場合には（ステップＳ７８のＮｏ）、この顔領域Ａ１’はトリミング処理部３２によってトリミングされて、そのままステップＳ８２に進む。
【００５０】
その次に、顔領域Ａ１’は、リサイズ・回転処理部３４によって所定のズーム倍率により拡大されて（ステップＳ８２）、表示画面４０に表示される（ステップＳ８４）。
【００５１】
なお、ステップＳ７４において顔領域が複数検出された場合には、ステップＳ８４では顔領域の拡大表示とともに、次の顔領域の処理を開始するかどうかを選択するメニュー（図示されず）が表示される（ステップＳ８６）。そして、次の顔領域の処理を開始することが選択されると（ステップＳ８６のＹｅｓ）、次の顔領域の処理が開始されて（ステップＳ８８）、ステップＳ７４に戻る。なお、ステップＳ８６において次の顔領域は、ユーザが入力装置１６等により手動で設定できるようにしてもよいし、表示画面４０における顔領域の位置や大きさ等に基づいて（例えば、左上から右下へ、又は大きい順）、自動的に設定されるようにしてもよい。
【００５２】
一方、次の顔領域の処理を開始しないことが選択されると（ステップＳ８６のＮｏ）、ステップＳ７２に戻る。このステップＳ７２においてズームモードの終了が選択されると上記の処理が終了する。なお、上記のような回転補正は、オートプレイモード時にも適用される。
【００５３】
本実施形態によれば、顔領域が表示画面４０の中央に回転補正されるため、画像中の人物の顔をユーザにとって見やすい向きで再生表示させることができる。
【００５４】
次に、本発明の画像処理装置１０が実装された撮像装置の例について説明する。図９は、本発明の一実施形態に係る撮像装置の主要構成を示すブロック図である。同図に示す撮像装置５０は、例えば、デジタルカメラやカメラ付き携帯電話である。なお、同図において、図１の画像処理装置１０と同様の構成については、同一の符号を付して説明を省略する。
【００５５】
同図においてＣＰＵ１２は、バス１４を介して撮像装置１０内の各ブロックに接続されており、入力装置１６等からの操作入力に基づいて撮像装置５０の動作を制御する統括制御部である。入力装置１６は、例えば、電源スイッチやレリーズスイッチ、十字キー等の操作スイッチを含んでいる。表示装置２０は、撮影時の画角確認用の電子ファインダとして用いられるとともに、撮影された画像データの表示に用いられるものであり、例えば、ＬＣＤモニタである。
【００５６】
撮像素子５４は、光学系（撮影レンズ）５２から入ってきた光を受け止めて電気信号に変換する素子であり、例えばＣＣＤ（Charge Coupled Devices）である。この電気信号は、図示せぬプリアンプによって増幅され、図示せぬＡ／Ｄ変換器によってデジタル信号に変換されて、撮像処理部５６に入力される。
【００５７】
本実施形態の撮像装置５０は、画像を撮影するための撮影モードと、画像を表示、再生するための再生モードを含む複数の動作モードを備えており、ユーザは入力装置１６からの操作入力により動作モードの設定を行うことができる。
【００５８】
撮影モード時には、撮像処理部５６によってＣＣＤ５４から出力された電気信号が処理されて画角確認用の画像（スルー画）が作成され、表示装置２０に表示される。そして、レリーズスイッチが操作されて画像が撮影されると、撮像処理部５６によってＣＣＤ５４から出力された電気信号が処理されて保存用の画像が作成される。この保存用の画像は、メディア制御部２４を介して記録メディア２６に所定のファイル形式（例えば、ＪＰＥＧ（Joint Photographic Experts Group）形式）で保存される。
【００５９】
また、撮影モード時には、スイッチ５８が端子Ｔ１に接続される。そして、撮像処理部５６によって処理された保存用の画像について、顔検出部３０によって顔領域の検出が行われる。このとき、顔検出部３０によって取得された顔情報（図２参照）は、保存用の画像と関連付けられて記録メディア２６に保存される。また、顔領域をトリミングして、サムネイル画像にリサイズし、元の画像ファイル（例えば、画像ファイルのヘッダ領域）に付加する処理を行うこともできる。
【００６０】
一方、再生モード時には、撮像処理部５６によって記録メディア２６に保存された画像が読み出されて表示用の画像が作成され、表示装置２０に表示される。この再生モード時には、スイッチ５８は端子Ｔ２に接続される。そして、ズームモード又はオートプレイモードに設定されると、上記の図３〜図８に示すような処理が行われる。また、検出された顔領域をトリミングして、顔領域にモザイクをかけるモザイク処理や、顔の目、鼻、口等のエッジ強調フィルター処理、エフェクト（テンプレート画像）との合成処理等の各種処理を画像処理部６０によって行うことができる。また、顔領域のサムネイル画像を元の画像ファイルに付加する処理を行うこともできる。
【００６１】
なお、上述のような処理を行うプログラムを含むソフトウェアやファームウェアをパーソナルコンピュータ（ＰＣ）やビデオ再生装置（ビデオデッキ、テレビ）やデジタルカメラ、携帯情報端末（ＰＤＡ）、携帯電話等の画像再生機能を有する装置に適用することにより、本発明の画像処理装置及び撮像装置を実現することができる。
【図面の簡単な説明】
【００６２】
【図１】本発明の一実施形態に係る画像処理装置の主要構成を示すブロック図
【図２】顔情報の例を示す図
【図３】ズームモード時における画像の再生表示の例を示す図
【図４】ズームモード時における処理の流れを示すフローチャート
【図５】オートプレイモード時における画像の再生表示の例を示す図
【図６】オートプレイモード時における処理の流れを示すフローチャート
【図７】顔領域が傾いている画像の再生表示の例を示す図
【図８】顔領域が傾いている画像を再生表示する際の処理の流れを示すフローチャート
【図９】本発明の一実施形態に係る撮像装置の主要構成を示すブロック図
【符号の説明】
【００６３】
１０…画像処理装置、１２…ＣＰＵ、１４…バス、１６…入力装置、１８…タイマー、２０…表示装置、２２…メモリ、２４…メディア制御部、２６…記録メディア、２８…再生処理部、３０…顔検出部、３２…トリミング処理部、３４…リサイズ・回転処理部、４０…表示画面、Ａ１〜Ａ３、Ａ１’…顔領域、５０…撮像装置、５２…光学系（撮影レンズ）、５４…撮像素子（ＣＣＤ）、５６…撮像処理部、５８…スイッチ、６０…画像処理部
【図１】
2006293782.tif 000003
【図２】
2006293782.tif 000004
【図３】
2006293782.tif 000005
【図４】
2006293782.tif 000006
【図５】
2006293782.tif 000007
【図６】
2006293782.tif 000008
【図７】
2006293782.tif 000009
【図８】
2006293782.tif 000010
【図９】
2006293782.tif 000011